(57)【特許請求の範囲】
【請求項１】
事務機器の機器本体に取り付けられる取付部材に組み付けた原稿圧着板の開閉機構とリフト機構と前記開閉機構及び前記リフト機構の動作を選択する選択動作手段とから成り、
前記開閉機構は、前記取付部材の両側板の後部側にメインシャフトを介して回転可能に取り付けられたアッパーアーム部材と、このアッパーアーム部材の両側板の自由端側に取り付けられたところの前記原稿圧着板の支持部材と、前記取付部材の前記両側板の前部側にスプリングローシャフトを介して揺動可能に取り付けられたスプリングケースと、このスプリングケースをスライド可能に収容し前記アッパーアーム部材の両側板の略中央部にスプリングアップシャフトを介して揺動可能に取り付けられたスライダーケースと、このスライダーケースと前記スプリングケースとの間に弾設された弾性手段と、で構成し、
前記リフト機構は、その上端部側を前記支持部材へ回転可能に連結したロワーアーム部材と、このロワーアーム部材の下端部側と前記アッパーアーム部材の下端部側とを連結するリンクアームとから成るリンク機構で構成し、
前記選択動作手段は、前記開閉機構の前記取付部材に設けた第１ガイド溝と第２ガイド溝からなるガイド溝と、これらの各ガイド溝に嵌入させたところの前記リフト機構を構成するリンクアームに取り付けられ、前記ガイド溝に嵌入されたローラシャフトに取り付けたローラとから成るガイド部材とで構成し、
前記選択動作手段により、前記リフト機構による前記原稿圧着板の水平状態での上昇動作終了時より前記開閉機構が動作し、前記開閉機構の閉成動作終了時より前記リフト機構が水平状態で前記原稿圧着板を降下させるように構成したことを特徴とする、原稿圧着板開閉装置。
【請求項２】
前記リンク機構を、前記取付部材に回転可能に取り付けたアッパーアーム部材と、このアッパーアーム部材の下端部にリンクアームを介して取り付けたロワーアーム部材と、前記アッパーアーム部材と前記ロワーアーム部材の各自由端を連結した原稿圧着板の支持部材とで構成したことを特徴とする、請求項１に記載の原稿圧着板開閉装置。
【請求項３】
前記ガイド部材が、ローラシャフトであることを特徴とする、請求項１に記載の原稿圧着板開閉装置。
【請求項４】
前記弾性手段が、圧縮コイルスプリングであることを特徴とする、請求項１に記載の原稿圧着板開閉装置。
【請求項５】
請求項１〜４のいずれか１項に記載の原稿圧着板開閉装置を用いたことを特徴とする、事務機器。
【発明の詳細な説明】
【技術分野】
【０００１】
本発明は、複写機、印刷機、プリンター等の事務機器の原稿圧着板や、複写機能の他にプリンター、ファクシミリ、スキャナー等の各種機能を有する所謂複合機と称せられる事務機器の原稿圧着板若しくはＡＤＦ装置（自動原稿送り装置）付の原稿圧着板（本願において、これらすべてを含めて原稿圧着板という。）を、機器本体に対して開閉可能に取り付けるのに用いて好適なリフト機能付の原稿圧着板開閉装置並びにこの原稿圧着板開閉装置を備えた事務機器に関する。
【背景技術】
【０００２】
現在、市販されている事務機器の原稿圧着板の多くは、下記特許文献１に記載されているように、その後端部が機器本体の後部上端に設けた原稿圧着板開閉装置へ取り付けられている。このような原稿圧着板開閉装置は、事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、前記取付部材と前記支持部材との間に設けられ、前記原稿圧着板を開成方向に回転付勢すると共に前記リフト部材を前記支持部材と重なり合う方向へ付勢する弾性手段とを有しており、原稿圧着板はその後端部を第１ヒンジシャフトを支点に上下方向へ開閉するように構成されている。
【０００３】
この特許文献１に記載の原稿圧着板開閉装置は、本のような厚物原稿の場合には、この厚物原稿をスキャナー部のコンタクトガラス面上に置き、原稿圧着板を閉じて行く際に、その厚物原稿の後部上面のエッジ部が原稿圧着板の下面に当たったときに、さらに弾性手段の弾力に抗して原稿圧着板を下押しすることによって、当該原稿のエッジ部を支点とする梃子の原理でリフト部材を介して原稿圧着板のリフト動作が行われ、厚物原稿の上面を水平状態で覆うことができるように構成されている。
【０００４】
さらに、下記特許文献２に記載されているように、リフト部材に代えて取付部材に取付脚部を設け、この取付脚部を機器本体の後部上端に設けた挿通孔に上下方向へ摺動可能となるように構成した原稿圧着板開閉装置も公知である。
【０００５】
この特許文献２に記載の原稿圧着板開閉装置は、原稿が本のような厚物原稿の場合には、原稿圧着板を閉じると、当該原稿圧着板の下面が厚物原稿の下面に当たるので、さらに原稿圧着板を下押しすることにより、取付脚部が挿通孔内を上方へ摺動して原稿圧着板で厚物原稿の上面を水平方向に覆うことができる構成となっている。
【先行技術文献】
【特許文献】
【０００６】
【特許文献１】特開２００６−０１０９７９号公報
【特許文献２】特開２００６−０３９４４０号公報
【発明の概要】
【発明が解決しようとする課題】
【０００７】
上記特許文献１と２に各記載の原稿圧着板開閉装置は、例えば１枚もののような薄物原稿をスキャナー部のコンタクトガラス上に載置して原稿圧着板を閉じると、風がコンタクトガラスの後方から前方へ斜めに流れることから、この風によって原稿の載置位置がずれ易いという問題があった。そのため、原稿の位置がずれないように原稿圧着板を静かに閉じたり、或は当該原稿の上から手で押えつつ原稿圧着板を閉じる必要のあることから、複写操作に時間がかかったり、手を挟んだりし易いという問題があった。
【０００８】
さらに、特許文献１に記載の従来の原稿圧着板開閉装置の構成では、原稿が本のような厚物原稿の場合、当該厚物原稿にかかる負荷が大きく、その負荷による印刷位置のズレ発生や厚物原稿の破損やスキャナー部のコンタクトガラスに対する過負荷が発生するという問題があった。
【０００９】
本発明は、従来技術の上記問題点を解決するためになされたものであって、その第1の目的は、原稿圧着板を閉じた状態から開くとき、及び原稿圧着板を所定の開成角度から閉じるとき、当該原稿圧着板が水平状態でコンタクトガラスの上面からスムーズに上昇し、或は下降するように構成した、原稿圧着板開閉装置を提供せんとするにある。
【課題を解決するための手段】
【００１０】
上述した目的を達成するために、本発明は、事務機器の機器本体に取り付けられる取付部材に組み付けた原稿圧着板の開閉機構とリフト機構と前記開閉機構及び前記リフト機構の動作を選択する選択動作手段とから成り、前記開閉機構は、前記取付部材の両側板の後部側にメインシャフトを介して回転可能に取り付けられたアッパーアーム部材と、このアッパーアーム部材の両側板の自由端側に取り付けられたところの前記原稿圧着板の支持部材と、前記取付部材の前記両側板の前部側にスプリングローシャフトを介して揺動可能に取り付けられたスプリングケースと、このスプリングケースをスライド可能に収容し前記アッパーアーム部材の両側板の略中央部にスプリングアップシャフトを介して揺動可能に取り付けられたスライダーケースと、このスライダーケースと前記スプリングケースとの間に弾設された弾性手段と、で構成し、前記リフト機構は、その上端部側を前記支持部材へ回転可能に連結したロワーアーム部材と、このロワーアーム部材の下端部側と前記アッパーアーム部材の下端部側とを連結するリンクアームとから成るリンク機構で構成し、前記選択動作手段は、前記開閉機構の前記取付部材に設けた第１ガイド溝と第２ガイド溝からなるガイド溝と、これらの各ガイド溝に嵌入させたところの前記リフト機構を構成するリンクアームに取り付けられ、前記ガイド溝に嵌入されたローラシャフトに取り付けたローラとから成るガイド部材とで構成し、前記選択動作手段により、前記リフト機構による前記原稿圧着板の水平状態での上昇動作終了時より前記開閉機構が動作し、前記開閉機構の閉成動作終了時より前記リフト機構が水平状態で前記原稿圧着板を降下させるように構成したことを特徴とする。
【００１１】
その際に本発明は、前記リンク機構を、前記取付部材に回転可能に取り付けたアッパーアーム部材と、このアッパーアーム部材の下端部にリンクアームを介して取り付けたロワーアーム部材と、前記アッパーアーム部材と前記ロワーアーム部材の各自由端を連結した原稿圧着板の支持部材とで構成したことを特徴とする。
【００１４】
本発明はまた、前記ガイド部材が、ローラシャフトであることを特徴とする。
【００１５】
本発明はさらに、前記弾性手段を、圧縮コイルスプリングで構成することが好ましい。
【００１６】
そして、本発明は、事務機器として、上記した構成の原稿圧着板開閉装置を用いたことを特徴とする。
【発明の効果】
【００１７】
本発明によれば、コンタクトガラス上に複写すべき薄物原稿がある時に原稿圧着板を閉じても、当該原稿圧着板が水平状態で閉じられるので、薄物原稿に斜めからの風が当たり位置ずれが生ずるのを防止することができるものである。また、原稿が本のように厚い厚物原稿の場合には、原稿圧着板が水平状態で持ち上がった状態で厚物原稿をコンタクトガラス上へ載置させ、原稿圧着板を閉じると、当該原稿圧着板は水平状態に閉じられるため、従来技術のものほど、原稿圧着板を強く押圧して弾性手段の弾力に抗して反転させる必要がないので、余分な力を必要としないことから操作性が向上し、かつ、コンタクトガラスに無理な押圧力が加わることがないという効果を奏し得る。
【図面の簡単な説明】
【００１８】
【図１】本発明に係る原稿圧着板開閉装置を用いた事務機器の一例としての複写機の原稿圧着板を開いてみた斜視図である。
【図２】本発明に係る原稿圧着板開閉装置の斜視図である。
【図３】本発明に係る原稿圧着板開閉装置の閉成時の側面図である。
【図４】本発明に係る原稿圧着板開閉装置の原稿圧着板のリフトアップ時の側面図である。
【図５】本発明に係る原稿圧着板開閉装置の図４に示したリフトアップ時の状態から原稿圧着板を回転させて１０°開いた状態の側面図である。
【図６】本発明に係る原稿圧着板開閉装置の図４に示したリフトアップ時の状態から原稿圧着板を回転させて２０°開いた状態の側面図である。
【図７】本発明に係る原稿圧着板開閉装置の分解斜視図である。
【図８】図３の状態におけるリフト機構の状態を示す説明断面図である。
【図９】図４の状態におけるリフト機構の動作を示す説明断面図である。
【図１０】図５の状態における開閉機構の動作を示す説明断面図である。
【図１１】図６の状態における開閉機構の動作を説明する断面図である。
【図１２】本発明に係る原稿圧着板開閉装置の図４に示したリフトアップ時の状態から原稿圧着板を回転させて２５°開いた状態の側面断図である。
【図１３】取付部材の斜視図である。
【図１４】スプリングケースの斜視図である。
【図１５】スライダーケースの側面図である。
【図１６】アッパーアーム部材の平面図である
【図１７】ロワーアーム部材の平面図である。
【発明を実施するための形態】
【００１９】
以下、本発明に係る原稿圧着板開閉装置並びにこの原稿圧着板開閉装置を用いた事務機器の構成を添付図面に基づいて詳述する。事務機器としては、とくに限定されず、例えば、複写機、印刷機、プリンターなどの単体としての事務機器、複写機、ファクシミリ、スキャナーなどの各種機能を併せ持つ複合機等が挙げられ、以下に複写機を例としてあげるがこのものに限定されない。
【実施例１】
【００２０】
本発明に係る原稿圧着板開閉装置は、図１に示すように、事務機器（複写機以下同じ）１の機器本体１ａの後端部に、原稿圧着板１８を開閉可能に取り付けるものである。尚、原稿圧着板開閉装置は、通常一対設けられ、指示記号１Ａと１Ｂとして示してある。実施例では指示記号１Ｂで示したものは、弾性手段が1本であるが、基本的な構成は１Ａのものと同じである。しかしながら、同一構成のものであってもよいし、原稿圧着板開閉装置１Ｂは、原稿圧着板開閉装置１Ａの動作を妨げなければ、弾性手段を有しない異なる構成のものであっても良い。以下の説明では指示記号１Ａで示した原稿圧着板開閉装置のみについて説明する。
【００２１】
原稿圧着板１８の上部には、例えば、公知構成の原稿自動送り装置１８ａが設けられている。この原稿自動送り装置１８ａは、複数枚の原稿を効率よく複写したり送信したりするためのものである。この原稿自動送り装置１８ａは、原稿圧着板１８の上部の一側に設けた図示してない原稿送り部を備え、この原稿送り部へ原稿をセットすると、自動的に原稿が順次送り出されて複写や送信が行えるように構成されている。
【００２２】
本発明に係る原稿圧着板開閉装置１Ａは、図２以降に示したように、事務機器１の機器本体１ａ上に取り付けられた取付部材２に組み付けられた開閉機構Ｋとリフト機構Ｒとから構成されている。
【００２３】
取付部材２は、例えばＳＰＣＣなどの金属板をプレス加工することにより構成したもので、機器本体１ａに取り付けられる底板２ａと、この底板２ａの両側端部からそれぞれ当該底板２ａに対して直交する方向（略直交する方向も含む。）に折り曲げた両側板２ｂ、２ｂと、底板２ａの一端部（後端部）から底板２ａに対して直交する方向（略直交する方向も含む。）に折り曲げた略矩形状の後板２ｃとから成る。もちろん強度さえ出れば、合成樹脂の成形品であっても良い。
【００２４】
取付部材２は、とくに図７と図１３に示したように、その底板２ａに設けた平面ひょうたん形状の取付孔２ｅへ通した図示してない公知構成の取付釦を介して機器本体１ａ上へ着脱可能に取り付けられている。両側板２ｂ、２ｂには、その後部上端に軸受孔１０ｂ、１０ｂを有する軸受部材１０ｃ、１０ｃを取り付ける第１取付孔２ｄ、２ｄが設けられると共に、その前端部側には、後述するスプリングローシャフト９を介してスプリングケース３を取り付ける第２取付孔２ｆ、２ｆが設けられている。この取付部材２の両側板２ｂ、２ｂには、さらに、第１取付孔２ｄ、２ｄと第２取付孔２ｆ、２ｆの間に位置して半径は異なるが互いに連続している円弧状の第１ガイド溝２ｇ、２ｇと第２ガイド溝２ｈ、２ｈから成るガイド溝２ｉ、２ｉが設けられており、さらに、後板２ｃには、ストッパー板１９が取付ネジ１９ａ、１９ａを介して取り付けられている。そして、第１ガイド溝２ｇ、２ｇと第２ガイド溝２ｈ、２ｈの連結部分には、交差部２ｊ、２ｊが設けられている。
【００２５】
まず、開閉機構Ｋの構成について説明する。この開閉機構Ｋは、取付部材２の両側板２ｂ、２ｂの後部側に設けた第１取付孔２ｄ、２ｄに取り付けた軸受部材１０ｃ、１０ｃの軸受孔１０ｂ、１０ｂに連結させたメインシャフト１０を介して回転可能に取り付けられたアッパーアーム部材６と、このアッパーアーム部材６の自由端側に取り付けられたところの原稿圧着板１８の支持部材８と、取付部材２の両側板２ｂ、２ｂの前端部側にスプリングローシャフト９を介して揺動可能に取り付けられたスプリングケース３と、このスプリングケース３をスライド可能に収容し前記アッパーアーム部材６の両側板６ｂ、６ｂの略中央部にスプリングアップシャフト１１を介して揺動可能に取り付けられたスライダーケース４と、このスライダーケース４と前記スプリングケース３との間に弾設された弾性手段５とで構成されている。実施例１のものは、弾性手段５に大小の圧縮コイルスプリング５ａ、５ａ・５ｂ、５ｂをそれぞれ重ねて用いている。
【００２６】
スプリングケース３は、とくに図７と図１４に示したように、例えばＰＯＭなどの合成樹脂を成形することによって造った一端部開放の成形品であり、底部（以下先端部ともいう）側にスプリングローシャフト９へ揺動可能に連結する連結孔３ａを有し、両側部にスリット３ｂ、３ｂを有している。実施例のものは２連に並設した圧縮コイルスプリングからなる弾性手段を収容するために、スプリング収容部３ｃの形状は断面が略８の字形を呈しているが、１連の弾性手段を収容する形状にすることもできる。
【００２７】
スライダーケース４は、例えばＳＰＣＣなどの金属板をプレス加工して造ったもので、とくに図７と図１５に示したように上板４ａと、この上板４ａの一端部側より下側に折り曲げた弾性手段５の当接プレート部４ｂと、上板４ａの両側部より下側へ折り曲げた両側板４ｃ、４ｃと、この両側板４ｃ、４ｃの下端部より内側へ折り曲げて形成した拘持板４ｄ、４ｄ（とくに図１５）とを有し、内部にスプリングケース３を摺動可能に収容させている。さらに、スライダーケース４の両側板４ｃ、４ｃの先端部側には逃がし溝４ｅ、４ｅが設けられていると共に、後端部側にはスプリングアップシャフト１１を介してアッパーアーム部材６へ連結する連結孔４ｆ、４ｆが設けられている。尚、このスライダーケース４は、例えば、ＰＯＭその他の強度のある合成樹脂成型品とすることができる。
【００２８】
アッパーアーム部材６は、例えばＳＰＣＣなどの金属板をプレス加工して造ったもので、上板６ａと、この上板６ａの両側から下側へ折り曲げることによって形成した両側板６ｂ、６ｂとを有し、とくに図７と図１６に示したように、上板６ａには、平面異形コの字形状の切欠部６ｄが設けられている。さらに、両側板６ｂ、６ｂの下端部側には、メインシャフト１０に連結する第１連結孔６ｅ、６ｅと、後述するリフト機構Ｒのリンクアーム１２、１２のリンクシャフト１５に連結する第２連結孔６ｆ、６ｆが設けられ、略中央部にはスプリングアップシャフト１１を連結する第３連結孔６ｇ、６ｇが設けられ、上端部側には支持部材８に連結される第２リフトシャフト１４に連結する第４連結孔６ｈ、６ｈが設けられている。
【００２９】
支持部材８は、例えばＳＰＣＣなどの金属板をプレス加工して造ったもので、上板８ａと、この上板８ａの両側部より下側へ折り曲げられた両側板８ｂ、８ｂと、この両側板８ｂ、８ｂの下端部側より外側へ折り曲げられた原稿圧着板１８の取付板８ｃ、８ｃとを有しており、両側板８ｂ、８ｂには、その上端部側に第２リフトシャフト１４を連結する連結孔８ｄ、８ｄと、後述する第１リフトシャフト１３を連結する連結孔８ｅ、８ｅが設けられている。
【００３０】
次に、リフト機構Ｒの構成について説明する。このリフト機構Ｒは、支持部材８と、この支持部材８へその上端部側を回転可能に連結したロワーアーム部材７と、このロワーアーム部材７の下端部側と前記アッパーアーム部材６の下端部側とを連結するリンクアーム１２、１２と、このリンクアーム１２、１２の前記アッパーアーム部材６の側に取り付けられ、前記取付部材２の両側板２ｂ、２ｂに設けた第１ガイド溝２ｇ、２ｇに嵌入されたガイド部材２０を構成するところのローラシャフト１６、１６及びローラ１７、１７とで構成されている。尚、このガイド部材２０は、ローラ１７、１７を省略してローラシャフト１６、１６のみとしても良い。
【００３１】
そして、アッパーアーム部材６と、ロワーアーム部材７と、アッパーアーム部材６とロワーアーム部材７の各下端部を連結するリンクアーム１２、１２と、アッパーアーム部材６とロワーアーム部材７の各先端自由端側に連結された支持部材８と、でリンク機構Ｌを構成している。即ち、リフト機構Ｒはリンク機構Ｌによって構成されていると言える。
【００３２】
ロワーアーム部材７は、例えばＳＰＣＣなどの金属板をプレス加工して造ったもので、上板７ａにはとくに図１５に示したように切欠部７ｃが設けられ、この上板７ａの両側端より下方へ垂下させた両側板７ｂ、７ｂには、その上端部側に第１リフトシャフト１３を連結する連結孔７ｄ、７ｄと、上述したように、ローラシャフト１６を固定する固定孔７ｅ、７ｅが前後方向へ位置をずらせて設けられている。尚、このロワーアーム部材７は、例えばＰＯＭその他の強度のある合成樹脂製とすることができる。
【００３３】
リンクアーム１２、１２は、固定孔１２ａ、１２ａと連結孔１２ｂ、１２ｂを有し、固定孔１２ａ、１２ａに取り付けたリンクシャフト１５、１５を介して、アッパーアーム部材６の第２連結孔６ｆ、６ｆに固定されると共に、連結孔１２ｂ、１２ｂに取り付けたローラシャフト１６、１６を介してロワーアーム部材７の固定孔７ｅ、７ｅに連結されている。
【００３４】
選択動作手段Ｓは、リンクアーム１２、１２と、このリンクアーム１２、１２に取り付けたローラ１７、１７から成るガイド部材２０と、このガイド部材２０が嵌入している取付部材２の両側板２ｂ、２ｂに設けた第１ガイド溝２ｇ、２ｇ及び第２ガイド溝２ｈ、２ｈから成るガイド溝２ｉ、２ｉとで構成されている。尚、ガイド部材２０は、必ずしもローラ１７、１７としなくとも良いことは前述した。
【００３５】
次に、図面に指示記号１６ａ、１６ａで示したものはローラシャフト１６、１６のワッシャーであり、指示記号１６ｂ、１６ｂはスペーサーである。また、指示記号１３ａ、１３ａと１４ａ、１４ａで示されたものは、第１リフトシャフト１３と第２リフトシャフト１４のスペーサーである。さらに、指示記号１１ａ、１１ａで示されたものはカラーである。また、スプリングローシャフト９は、一端部にフランジ部９ａを有し、他端部を第２取付孔２ｆ、２ｆの一方の側にかしめて固着される構成である。メインシャフト１０も一端部にフランジ部１０ａを有し、軸受部材１０ｃ、１０ｃ内を貫通して他端部にワッシャー１０ｄを嵌め込む構成である。このワッシャー１０ｄは、Ｅリングであっても良い。さらに、スプリングアップシャフト１１と、第１リフトシャフト１３と第２リフトシャフト１４にも一端部にフランジ部１１ｂ、１３ｂ、１４ｂが設けられており、それぞれ他端部をかしめて連結孔４ｆ、４ｆ・８ｄ、８ｄ・８ｅ、８ｅの一方の側にかしめて固定される構成である。勿論、かしめに代えてＥリングその他の係止リングを用いても良い。
【００３６】
次に、上記原稿圧着板開閉装置１Ａの作用効果について説明する。
【００３７】
まず、図３と図８に示したように、複写機等の事務機器１の機器本体１ａに対して原稿圧着板１８を閉じた状態においては、当該原稿圧着板１８はその重量でその下面をコンタクトガラス１ｂ上に圧着しており、薄物原稿の場合には、当該薄物原稿をコンタクトガラス１ｂ上へ圧着させる。また、この原稿圧着板開閉装置１Ａの閉成時において、とくに図８に示したように、スライダーケース４、アッパーアーム部材６、ロワーアーム部材７、及び支持部材８は、取付部材２に対して互いに重なり合った状態にある。
【００３８】
次に、この原稿圧着板１８をその閉成状態から当該原稿圧着板１８を開くべく、その手前側の取手部１８ｂ（図１に表示）に手を掛けて上方へ持ち上げると、まず、選択動作手段Ｓを介してリフト機構Ｒが動作して原稿圧着板１８をコンタクトガラス１ｂに対して、図４と図９に示したように、水平に持ち上げることになる。
【００３９】
つまり、原稿圧着板１８の手前側の取手部１８ｂに手を掛けて持ち上げると、リフト機構Ｒのリンク機構Ｌを構成する支持部材８とリンクアーム１２、１２により、アッパーアーム部材６とロワーアーム部材７が協動作用を行うため、支持部材８がコンタクトガラス１ｂに対して水平に持ち上がるので、この支持部材８に取り付けられている原稿圧着板１８は同様に水平状態で持ち上がることになる。即ち、原稿圧着板１８の手前側に手を掛けて持ち上げると、図８と図９に示したように、リンクアーム１２、１２が取付部材２のガイド溝２ｉ、２ｉの第１ガイド溝２ｇ、２ｇに嵌入しているローラ１７、１７を介して右方向へ旋回しつつ持ち上がり、アッパーアーム部材６とロワーアーム部材７を図中右方向へ回転させ、この回転により支持部材８が第１リフトシャフト１３と第２リフトシャフト１４を介して左方向へ旋回することにより、図４と図９に示したように、原稿圧着板１８はコンタクトガラス１ｂに対して水平状態を維持した状態で持ち上がることになる。そして、所定の上昇位置で弾性手段５と原稿圧着板１８の重量がバランスしたところで、原稿圧着板１８は手を離しても自然落下することなく、水平開成状態を維持することができる。
【００４０】
原稿圧着板１８が水平状態で所定の高さまで上昇すると、第１ガイド溝２ｇ、２ｇに嵌入しているローラ１７、１７が当該第１ガイド溝２ｇ、２ｇと第２ガイド溝２ｈ、２ｈの交差部２ｊ、２ｊに達するので、ここで原稿圧着板１８の水平状態での上昇動作は終了する。
【００４１】
この水平上昇状態から、さらに原稿圧着板１８の手前側を上方へ持ち上げると、今度は選択動作手段Ｓを介して開閉機構Ｋが動作する。即ち、アッパーアーム部材６がメインシャフト１０を支点に右方向へ回転する力を受け、ローラ１７、１７がガイド溝２ｉ、２ｉの第２ガイド溝２ｈ、２ｈ内に嵌入し、アッパーアーム部材６の右方向の回転を許容される。すると、原稿圧着板１８は水平上昇状態の高さを維持したまま支持部材８とともに回転することになり、図５と図１０に示したように、原稿圧着板１８は支持部材８と共にメインシャフト１０を支点に回転して開かれることになる。そうすると、弾性手段５の弾力はスライダーケース４を介して支持部材８に作用していることから、原稿圧着板１８はその重量を余り感じさせることなく開かれることになり、弾性手段５の弾力と原稿圧着板１８の重量がバランスしたところで、原稿圧着板１８より手を離しても自然に落下して閉じられてしまうことはない。
【００４２】
したがって、原稿圧着板１８の回転モーメントは、所定の開成角度範囲において弾性手段５の弾力とバランスするので、原稿圧着板１８より手を離しても自然落下しない開成使用角度において、両手を用いてコンタクトガラス１ｂ上へ原稿を載置したり、交換したりすることが可能となる。
【００４３】
もとより、ここのところは、一方の手で原稿圧着板１８を開いた状態で保持させていて、もう一方の手で原稿を交換するようにしても良い。
【００４４】
コンタクトガラス１ｂ上へ原稿を載置するか、原稿を複写し終わって原稿をコンタクトガラス１ｂ上より取り去って、原稿圧着板１８の手前側の取手部１８ｂを下方へ手で押すと、リンク機構Ｌによってリフト機構Ｒは動作せず、ローラ１７、１７が第２ガイド溝２ｈ、２ｈ内を先ほどとは逆方向へ転動して開閉機構Ｋにより原稿圧着板１８は元の水平状態まで閉じられる。図４と図９に示した上昇時の水平状態に戻ったところで、今度はリフト機構Ｒが動作して原稿圧着板１８はコンタクトガラス１ｂに対して水平状態で閉じられることになる。
【００４５】
したがって、図４と図９に示したように、コンタクトガラス１ｂ上に複写すべき薄物原稿がある時に原稿圧着板１８を閉じても、当該原稿圧着板１８が水平状態で閉じられるので、薄物原稿に斜めからの風が当たり位置ずれが生ずるのを防止することができるものである。
【００４６】
他方、原稿が本のように厚い厚物原稿Ｇの場合には、原稿圧着板１８が水平状態で持ち上がった状態で厚物原稿Ｇをコンタクトガラス１ｂ上へ載置させ、原稿圧着板１８を閉じると、当該原稿圧着板１８は水平状態に閉じられるため、従来技術のもののように、原稿圧着板を弾性手段の弾力に抗して反転させる必要がないので、不必要な力を必要としないことから操作性が向上し、かつ、コンタクトガラスに無理な押圧力が加わることがないものである。
【００４７】
図１２は、原稿圧着板１８をさらに開いた状態を示し、このように原稿圧着板１８を開いても、当該原稿圧着板１８の後部が不必要に事務機器１の後方へ突出することがないので、壁際へ事務機器１を設置する際の後部スペースを省略できる。
【産業上の利用可能性】
【００４８】
以上説明したように、本発明に係る原稿圧着板開閉装置は、複写機、印刷機、プリンター等の事務機器の原稿圧着板や、複写機能の他にプリンター、ファクシミリ、スキャナー等の各種機能を有する所謂複合機と称せられる事務機器の原稿圧着板若しくはＡＤＦ装置（自動原稿送り装置）付の原稿圧着板を開閉する開閉装置として好適に用いられ、また、本発明に係る原稿圧着板開閉装置を用いた事務機器としても有用性を持つものである。
【符号の説明】
【００４９】
１Ａ、１Ｂ  原稿圧着板開閉装置
Ｋ  開閉機構
Ｌ  リンク機構
Ｒ  リフト機構
Ｓ  選択動作手段
１  事務機器
１ａ  機器本体
２  取付部材
２ｂ、４ｃ、６ｂ、７ｂ、８ｂ  両側板
２ｇ  第１ガイド溝
２ｈ  第２ガイド溝
２ｉ  ガイド溝
３  スプリングケース
４  スライダーケース
５  弾性手段
５ａ、５ｂ  圧縮コイルスプリング
６  アッパーアーム部材
７  ロワーアーム部材
８  支持部材
９  スプリングローシャフト
１０  メインシャフト
１１  スプリングアップシャフト
１２  リンクアーム
１７  ローラ
１８  原稿圧着板
２０  ガイド部材
【図１】
0005811433.tif 000002
【図２】
0005811433.tif 000003
【図３】
0005811433.tif 000004
【図４】
0005811433.tif 000005
【図５】
0005811433.tif 000006
【図６】
0005811433.tif 000007
【図７】
0005811433.tif 000008
【図８】
0005811433.tif 000009
【図９】
0005811433.tif 000010
【図１０】
0005811433.tif 000011
【図１１】
0005811433.tif 000012
【図１２】
0005811433.tif 000013
【図１３】
0005811433.tif 000014
【図１４】
0005811433.tif 000015
【図１５】
0005811433.tif 000016
【図１６】
0005811433.tif 000017
【図１７】
0005811433.tif 000018